(57)【要約】【課題】同一の着脱工具を用いてアダプタからコネクタプラグを抜去し且つ挿入が行えるコネクタ及びその着脱工具は従来存在していなかった。【解決手段】コネクタプラグ抜去用係合部には、ラッチがアダプタ係合部に配置される際にスライダが応力部材等による付勢に抗して後退する距離以上の遊び空隙が設けられていることを特徴とする。さらにコネクタ着脱工具には、コネクタプラグに押込み力を作用させてコネクタプラグをアダプタの開口部に挿入するための挿入応圧片が配置されている。このため、コネクタ着脱工具を用いてコネクタプラグの抜き差しを行うことができる。【選択図】        図１
2004233403.tif 000002
【特許請求の範囲】
【請求項１】
一端に開口部を備えその内側に接続端を備えたアダプタと、
内部に前記接続端と接続される他方の接続端を備え、且つ一端が前記開口部に挿入されるコネクタプラグと、
前記コネクタプラグの外側に配置されコネクタプラグの前後に移動可能に配置され、且つ応力部材によりアダプタ配置側に付勢された筒状のスライダとで構成され、
アダプタに挿入される側のコネクタプラグの外側にはアダプタ係合突起及び段差によるアダプタ係合部が形成され、
前記アダプタの開口部の端部はコネクタプラグが挿入される際に前記応力部材による付勢に抗してスライダを後退させ、且つその端部内側には拡張してアダプタ係合突起を乗り越えアダプタ係合部に配置されるラッチが形成され、
前記スライダのアダプタ配置側の一端はラッチがアダプタ係合部に配置された際に前記ラッチの外部を被うように形成され、更にスライダの外周にはコネクタプラグ抜去用係合部とを備え、
更にコネクタプラグ抜去用係合部にはラッチがアダプタ係合部に配置される際にスライダが前記付勢に抗して後退する距離以上の遊び空隙が設けられていることを特徴とするコネクタ。
【請求項２】
コネクタプラグの外周にその中心軸に沿って位置決め用のガイド溝が形成されていることを特徴とする請求項１に記載のコネクタ。
【請求項３】
請求項１に記載のコネクタのアダプタとコネクタプラグとを着脱するコネクタ着脱工具であって、
取手部の一端にコネクタプラグ抜去用係合部に係合する抜去用フックが形成され、
前記取手部の他の位置には、コネクタプラグに押込み力を作用させてコネクタプラグをアダプタの開口部に挿入するための挿入応圧片が配置され、
且つ前記挿入応圧片がコネクタプラグに押込み力を作用させた際に、アダプタ係合部に配置される際にスライダが前記付勢に抗して後退する距離以上の遊び空隙がコネクタプラグ抜去用係合部に確保されるように、抜去用フックと挿入応圧片が配置されていることを特徴とするコネクタ着脱工具。
【請求項４】
一対の取手部がＵ字状に連結されたことを特徴とする請求項４に記載のコネクタ着脱工具。
【請求項５】
一対の取手部を把持することによりコネクタプラグの外周を狭持する保持具を備えたことを特徴とする請求項４に記載のコネクタ着脱工具。
【請求項６】
一対の取手部の内側には、コネクタプラグの側面を狭持した際に、コネクタプラグの側面に形成された位置決め用ガイド溝に嵌め込まれその溝に沿って移動可能な位置決めガイドが形成されていることを特徴とする請求項４又は請求項５に記載のコネクタ着脱工具。
【発明の詳細な説明】
【０００１】
【発明の属する技術分野】
本発明は、着脱工具を使用してコネクタプラグを相手側アダプタから抜去または相手側アダプタに装着させることが可能なコネクタ及びそのコネクタプラグをアダプタに装着及び抜去することが可能なコネクタ抜去工具に関する。
【０００２】
【従来の技術】
今日、高密度に実装された通信ユニット等のスペースに取り付けられるコネクタ及びそのコネクタを着脱する様々な着脱工具が開発されている。
特に、単心係のＳＣ２やＭＵコネクタ用のものが各種市場に流通している。
【０００３】
従来、この種の一例としてコネクタプラグをアダプタに挿入した後、特殊工具を使用しないと抜去できないものが提案されている（例えば、特許文献１）
【０００４】
この特許文献に記載されたものは、図１１〜図１５に示すようなものである。同図、特に図１４、図１５において、１は一端２に開口部３を備えその内部に接続端４を備えたアダプタ、５は内部に前記接続端４と接続される他方の接続端６を備え、且つ一端７が前記開口部３に挿入されるコネクタプラグ、８は前記コネクタプラグ５の外側に配置されコネクタプラグ５の前後に移動可能に配置され、且つスプリングなどによる応力部材９によりコネクタプラグ５に抗してアダプタ配置側に付勢された筒状のスライダである。
【０００５】
コネクタプラグ５の外側にはその一端７側にアダプタ係合突起１０及び段差１１とによるアダプタ係合部１２が形成され、前記アダプタ１の一端２には、コネクタプラグ５が挿入される際に前記応力部材９による付勢に抗してスライダ８を後退（図面右側に移動）させ、且つその一端２の内側には、拡径しながらアダプタ係合突起１０を乗り越えてアダプタ係合部１２に配置されるラッチ１３が形成されている。
【０００６】
前記スライダ８のアダプタ１配置側の一端は、ラッチ１３がアダプタ係合部１２に配置された際にラッチ１３の外部を被うように形成され、更にスライダ８の外周にはコネクタプラグ抜去用係合部１４とを備えている。
【０００７】
そしてアダプタ１の開口部に挿入されたコネクタプラグ５を抜去する場合は、図１１〜１３に示すコネクタ着脱工具１５を用いて、以下のように行う。
【０００８】
即ち、コネクタ着脱工具１５の先端に形成された抜去用フック１６を前記スライダ８の外周に形成された貫通孔又は段差で構成されたコネクタプラグ抜去用係合部１４に引っ掛けて、アダプタ１から離れる方向にスライダ８に対して応力を印加することにより、スライダ８は応力部材９の力に抗してコネクタプラグ５の外周上でアダプタ１から離れる方向に移動する。
【０００９】
すると、今までスライダ８の端部がラッチ１３の外周を被ってラッチ１３がアダプタ係合部１２から抜け出るのを制限していたが、上述の動作によりその制限が解除され、ラッチ１３部分がアダプタ係合突起１０を乗り越えてコネクタプラグ５から離れることにより、コネクタプラグ５をアダプタ１から抜去することができる。
【００１０】
なお、図において、１７は光ファイバ心線、１８はコネクタプラグ５の後端に配置されたブーツであり、ブーツ１８はコネクタプラグ５の後端から延出した光ファイバ心線１７を保護するためのものである。
【００１１】
【特許文献１】
特開２００２‐２２８８７３号公報。
【００１２】
【発明が解決しようとする課題】
しかしながら、前記コネクタは、スライダ８に形成されたコネクタプラグ抜去用係合部１４に、抜去用フック１６が配置されるだけのスペースしか無いので、コネクタプラグ抜去用係合部１４に抜去用フック１６を配置させた状態でコネクタ着脱工具１５をアダプタ１側に移動させても、スライダ８がアダプタ係合部１２を塞ぐため、ラッチ１３をアダプタ係合部に配置することができず、このため、コネクタプラグ５をアダプタ１内に挿入することができない。
このため、前記コネクタはコネクタプラグ５を手で持つなどしてアダプタ１の開口部３に差し込まなければならず、高密度に配置されたコネクタ配置位置にコネクタプラグを差し込むことが容易でなかった。
【００１３】
【課題を解決するための手段】
本発明は、かかる点に鑑みなされたもので、コネクタ着脱工具を用いて、アダプタからコネクタプラグを抜去できるだけでなく、同じコネクタ着脱工具を用いて挿入も行えるようにしたコネクタ及びその着脱工具を提供するものである。
【００１４】
そのための本発明は、一端に開口部を備えその内側に接続端を備えたアダプタと、
内部に前記接続端と接続される他方の接続端を備え、且つ一端が前記開口部に挿入されるコネクタプラグと、
前記コネクタプラグの外側に配置されコネクタプラグの前後に（軸心方向に）移動可能に配置され、且つ応力部材によりアダプタ配置側に付勢された筒状のスライダとで構成され、
アダプタに挿入される側のコネクタプラグの外側にはアダプタ係合突起及び段差とによるアダプタ係合部が形成され、
前記アダプタの開口部の端部はコネクタプラグが挿入される際に前記応力部材による付勢に抗してスライダを後退させ、且つその端部内側には拡張してアダプタ係合突起を乗り越えアダプタ係合部に配置されるラッチが形成され、
前記スライダのアダプタ配置側の一端はラッチがアダプタ係合部に配置された際に前記ラッチの外部を被うように形成され、更にスライダの外周にはコネクタプラグ抜去用係合部とを備え、
更にコネクタプラグ抜去用係合部にはラッチがアダプタ係合部に配置される際にスライダが前記付勢に抗して後退する距離以上の遊び空隙が設けられていることを特徴とする。
【００１５】
本発明の他の特徴点は、上記本発明のコネクタのアダプタとコネクタプラグとを着脱するコネクタ着脱工具であって、
取手部の一端にコネクタプラグ抜去用係合部に係合する抜去用フックが形成され、
前記取手部の他の位置には、コネクタプラグに押込み力を作用させてコネクタプラグをアダプタの開口部に挿入するための挿入応圧片が配置され、
且つ前記挿入応圧片がコネクタプラグに押込み力を作用させた際に、アダプタ係合部に配置される際にスライダが前記付勢に抗して後退する距離以上の遊び空隙がコネクタプラグ抜去用係合部に確保されるように、抜去用フックと挿入応圧片が配置されていることを特徴とする。
【００１６】
【発明の実施の形態】
コネクタプラグは、多心のＭＴフェルール「ＪＩＳＣ５９８１」で構成された接続端が収納された「ＪＩＳＣ５９８２」で制定されているＦ１３型多心光ファイバコネクタのようなスライドロック構造、プッシュオン構造を備えたコネクタである。
これに接続されるためのアダプタは、バックプレーン用などに用いられる隣接するアダプタ同士が峡ピッチで多数配置され、且つ通信装置内に配置された基板等に固定される。
【００１７】
コネクタプラグ内に配置される接続端は上記のように光ファイバの接続でなく、電気的な接続であっても良い。
【００１８】
【実施例】
以下、本発明を図示した一実施例を基づき説明する。
図１において、１〜１３は図１１〜１５と同様に、１はアダプタ、２はその一端、３はその開口部、５はコネクタプラグ、７はその一端、８はスライダ、９は応力部材、１０はアダプタ係合突起、１１は段差、１２はアダプタ係合部、１３はラッチである。また、１８はブーツである。これらはいずれも図１１〜１５に示したものとほぼ同様の機能を成すものである。
【００１９】
図１において、２０は本発明の特徴点の一つであるコネクタプラグ抜去用係合部である。このコネクタプラグ抜去用係合部２０には、ラッチ１３がアダプタ係合部１２に配置される際に、スライダ８がコネクタプラグの挿入方向と前記付勢に抗して相対的に後退する長さ以上の遊び空隙（スペース）２０’が設けられている。このため、以下に記載のように、コネクタプラグ５をアダプタ１に挿入する際に、抜去用フック３２がスライダ８の前記後退を妨げることがない。
【００２０】
図１において、３０はコネクタ着脱工具であり、取手部３１、その取手部３１の先端に配置された抜去用フック３２及びその取手部３１の内側に配置された挿入応圧片３３とで形成されている。
【００２１】
コネクタ着脱工具３０は、通常、図３等に図示されているように、一対の取手部３１を抜去用フック３２が形成されていない側の端部で相互にＵ字状に連結して構成される。この相互に連結された取手部３１の作成は、通常、板ばね用鋼板を折り曲げ加工等によりＵ字状に屈曲成型するなどして製造される。
【００２２】
このため、このＵ字状に形成された取手部３１は、その両者の取手部３１・３１の外側を手で押さえて把持力を印加することにより、材料の弾性変形により抜去用フック３２・３２間の間隔が縮まり、またその把持力を解除することにより再び元の間隔に戻ることができる。また、取手部３１は後で詳述するコネクタプラグ５をアダプタ１内に押し込む際に屈曲してしまわない程度の鋼性が必要である。
【００２３】
取手部３１は上記のように手で扱ったときに抜去用フック３２・３２間の間隔を変化でき且つ、コネクタプラグ挿入時に屈曲してしまわないものであればどのような材料でも採用することができる。
【００２４】
抜去用フック３２は、スライダ８に形成されたコネクタプラグ抜去用係合部２０に係合してコネクタプラグ５をアダプタ１から抜去するためのもので、従来における抜去用フック１６と同様の動作をする。この図１に示された抜去用フック３２は、本実施例においては、別途、その先端がカギ状に変形されたものを取手部３１の先端部に溶接などにより固着された例が示されている。
【００２５】
挿入応圧片３３は、本発明の特徴点の一つであり、従来において達成できなかったコネクタプラグ５のアダプタ１への挿入を助成するものである。この挿入応圧片３３は、本実施例においては、取手部３１の先端を絞り加工又は曲げ加工などにより先端が内側に突設させて構成された例が示されている。勿論、別途作成したものを把持具３１の適切な箇所に取り付けるようにしても良い。
【００２６】
以下、本挿入応圧片３３の動作を含め、コネクタプラグ５をアダプタ１に挿入する際の手順を図６〜図８によって更に詳しく説明する。
【００２７】
始めぬく５のアダプタ１への挿入に先立ち、図１に示すように、コネクタの取手部の間隔を狭めて、スライダ８のコネクタプラグ抜去用係合部２０にコネクタ着脱工具３０の抜去用フック３２を嵌め込み、ブーツ１８の外周部を挿入応圧片で挟みこみ、コネクタ着脱工具３０でコネクタプラグ５を保持する。
【００２８】
この状態で、コネクタプラグ５をアダプタ１の開口部に誘導し、挿入を開始する。挿入の開始においてはコネクタプラグ５の後端と挿入応圧片の先端には通常僅かな隙間が発生している。しかし、アダプタ１への挿入の途中で、コネクタプラグ５がラッチ１３と接触したり、ラッチ１３がアダプタ係合突起１０に突き当たったりして、挿入の抵抗が発生すると、挿入応圧片がブーツの外表面上を摺動しながら、挿入応圧片の先端（図面において左端）がコネクタプラグ５の後端（図面において右端）と接触する。
【００２９】
ここで更にコネクタ着脱工具３０を押し込むと、図６に示すように、ラッチ１３が拡径しながらアダプタ係合突起１０に乗り上がり、ラッチ１３の先端がスライダ８の先端《図面において左端》と接触する。
コネクタ着脱工具３０を更に押し込むと、スライダ８は図７に示すようにコネクタプラグ５と相対的に移動してコネクタプラグ５のみがアダプタ１に挿入される。この際、抜去用フック３２はコネクタプラグ抜去用係合部２０に設けられたスペース２０’内を移動し、スライダ８の後方側への移動を妨げることがない。
【００３０】
コネクタプラグ５が更に押し込まれると、図８に示すように、ラッチ１３はコネクタプラグ５のアダプタ係合部１２内に収納される。このとき、これと同時に、スライダ８はスプリング等による応力部材９の付勢によりアダプタ１の配置側に戻り、ラッチ１３部分を覆って、コネクタプラグ５がアダプタ１から抜け出るのをロックされ、コネクタプラグ５の挿入作業が完了する。
【００３１】
又、コネクタプラグ５をアダプタから抜き出す際は、図９に示すように（従来の動作と同じ）、コネクタプラグ抜去用係合部２０に抜去用フック３２を配置して、コネクタプラグ５の引きぬき方向（図面において右方向）にコネクタ着脱工具３０を引き出すことにより、スライダが応力部材による付勢に抗して後退してラッチ１３のロックが解除される。
【００３２】
この状態で更にコネクタ着脱工具３０をコネクタプラグ５の引きぬき方向（図面において右方向）に引き出すことにより、図１０に示すように、ラッチ１３がアダプタ係合突起１０を乗り越えて移動し、コネクタプラグ５をアダプタから引き抜くことができる。
【００３３】
図２において、３４はコネクタプラグガイドであり、抜去用フック３２を構成する材料が後部（図面右側）において断面がコの字状に成形され、コネクタプラグ５の後端部上下の一部及び片側面を覆う構造を成している。このコネクタプラグガイド３４は一対の取手部３１のそれぞれに、コの字状の開口面が互いに対向するように配置され、これら一対のコネクタプラグガイド３４によりコネクタプラグ５の後端部全体を包み込む構造を成している。従って、このコネクタプラグガイド３４により、抜去用フック３２をコネクタプラグ抜去用係合部２０に係合させるに先立ち、ブーツ１８の後方側からコネクタをこのコネクタプラグガイド３４・３４で形成される空間内に導くことにより、簡単に抜去用フック３２をコネクタプラグ抜去用係合部２０に案内させることができる。
【００３４】
図３は、本発明にかかるコネクタ着脱工具３０の他の例を示すものであり、取手部３１の先端部の外側にコネクタプラグガイド３４が、内側に挿入応圧片３３が形成されたものが示され、コネクタプラグガイド３４の先端（図面左端）に抜去用フック３２が溶着などにより取り付けられたものが示されている。
【００３５】
図４は、本発明に係るコネクタ着脱工具３０の更に他の例を示すものであり、取手部３１の先端部の外側にコネクタプラグガイド３４が、その内側に挿入応圧片３３がそれぞれ別途、溶着などにより取り付けられ、コネクタプラグガイド３４の先端部が抜去用フック３２に成形されたものが示されている。
【００３６】
これら図３及び図４の構成においても、図１及び図２に示したと同様に動作するものであるので、その動作の詳細な説明は省略する。
【００３７】
図５のイ、ロは図１〜２等に示すスライダ８の構造を示すもので、イは一部断面説明図、ロはその平面図である。図５のハ、ニは前記イ、ロと異なる他のスライダ８の構造を示すもので、イは一部断面説明図、ロはその平面図である。イ、ロに示すスライダ８のコネクタプラグ抜去用係合部２０は、スライダ８の側壁を貫通した貫通穴に形成されているのに対して、ロ、ハに示すものは、段差によってコネクタプラグ抜去用係合部２０が形成されている点で両者は異なっている。本発明はロ、ハに示される構造のものであっても同様に適用可能である。
【００３８】
【効果】
本発明は上述のように、コネクタプラグ抜去用係合部にラッチがアダプタ係合部に配置される際に、スライダが応力部材等による付勢に抗して後退する距離以上の遊び空隙が設けられていることを特徴とする。さらにコネクタ着脱工具には、コネクタプラグに押込み力を作用させてコネクタプラグをアダプタの開口部に挿入するための挿入応圧片が配置されている。このため、コネクタ着脱工具を用いてコネクタプラグの抜き差しを行うことができる。特に、指先で着脱作業ができないほどの狭いスペースしかない場所に配置されたコネクタに特に顕著な効果を発揮する。
【図面の簡単な説明】
【図１】本発明のコネクタ及びコネクタ着脱工具を組み合わせたときの要部断面図。
【図２】図１のコネクタ着脱工具の要部平面図。
【図３】本発明のコネクタ着脱工具に係わる他の実施例を示す説明図。
【図４】本発明のコネクタ着脱工具に係わる更に他の実施例を示す説明図。
【図５】本発明の互いに異なる２種のスライダを示す説明図。
【図６】本発明のコネクタプラグ挿入時の動作を説明するための説明図。
【図７】本発明のコネクタプラグ挿入時の動作を説明するための説明図。
【図８】本発明のコネクタプラグ挿入時の動作を説明するための説明図。
【図９】本発明のコネクタプラグ抜去時の動作を説明するための説明図。
【図１０】本発明のコネクタプラグ抜去時の動作を説明するための説明図。
【図１１】従来の一例を示した斜視図。
【図１２】図１１の詳細を示した斜視図。
【図１３】従来のコネクタ着脱工具の一例を示した斜視図。
【図１４】従来のコネクタを示した斜視図。
【図１５】図１４のコネクタを示した一部断面側面図。
【符号の説明】
１    アダプタ
２    一端
３    開口部
４    接続端
５    コネクタプラグ
６    接続端
７    一端
８    スライダ
９    応力部材
１０    アダプタ係合突起
１１    段差
１２    アダプタ係合部
１３    ラッチ
１７  光ファイバ心線
１８  ブーツ
２０  コネクタプラグ抜去用係合部
３０  コネクタ着脱工具
３１  取手部
３２  抜去用フック
３３  挿入応圧片
【図１】
2004233403.tif 000003
【図２】
2004233403.tif 000004
【図３】
2004233403.tif 000005
【図４】
2004233403.tif 000006
【図５】
2004233403.tif 000007
【図６】
2004233403.tif 000008
【図７】
2004233403.tif 000009
【図８】
2004233403.tif 000010
【図９】
2004233403.tif 000011
【図１０】
2004233403.tif 000012
【図１１】
2004233403.tif 000013
【図１２】
2004233403.tif 000014
【図１３】
2004233403.tif 000015
【図１４】
2004233403.tif 000016
【図１５】
2004233403.tif 000017